(57)【要約】      （修正有）【課題】箱状及び袋状の各種の菓子類及びドッグフード等の食品類の容器は、１度開封すると、内部に空気が侵入して酸化及び腐敗するのを排出弁によって内部の空気を排出して湿気を防止する容器を提供する。【解決手段】箱物本体１又は袋物本体等の容器を湿気を防止する合成樹脂又はアルミ箔等の構成材料により構成され、箱物本体又は袋物本体の各種形状の側壁３に排出弁５を装設し、且つ、各々の上部に相対する縁取枠６を設け、縁取枠には、切断線と下部に保存用ジッパー８を並設する。また、袋物本体の上部の縁取枠は、前後２組に折曲され、後方の縁取枠を融着して閉鎖している。【選択図】図１
0003107011.tif 000002
【実用新案登録請求の範囲】
【請求項１】
箱物本体（１）又は袋物本体（２）等の容器における湿気防止用容器において、該箱物本体（１）又は該袋物本体（２）は、合成樹脂又はアルミ箔等の気密性を有する構成材料より箱状又は袋状に構成され、該箱物本体（１）及び該袋物本体（２）には、各種に形成されている側壁（３）を有し、該側壁（３）には、所定位置の１ヶ所に各種形状の排気専用の排出弁（５）を装設し、且つ該箱物本体（１）と該袋物本体（２）には、上部に相対する縁取枠（６）（６）を設け、該縁取枠（６）（６）には、上部に切断線（７）を設けると共に、該切断線（７）の下部に保存用ジッパー（８）を並設したことを特徴とする湿気防止用容器。
【請求項２】
請求項１の該袋物本体（２）の上部に設けてある該縁取枠（６）は、前後２組に折曲された後方の縁取枠（６）のみを融着部（１２）によって接着して閉鎖したことを特徴とする請求項１の湿気防止用容器。
【考案の詳細な説明】
【技術分野】
【０００１】  本考案は、ビスケット、クッキー等の菓子類及びドッグフード等の食品類を保管する時に生ずる湿気を防いで酸化及び腐敗するのを安全に防止するための湿気防止用容器に関するものである。
【背景技術】
【０００２】  従来この種の湿気防止の手段としては、ビスケット、クッキー等の菓子類には、乾燥剤の挿入によって湿気するのを防止するのが一般的である。また容器本体の包装紙を厚くするか、通気を防止するため紙類に薄金属箔を重合したものが散見されている現状である。
【考案の開示】
【考案が解決しよとうする課題】
【０００３】  従来のようにビスケット、クッキー等の菓子類の箱物、袋物の内部に乾燥剤を収納したものでは、１度開蓋した場合は、空気が侵入するため、再度、ジッパー又はゴム等で入口を閉塞しても内部に空気が残留しているため乾燥状態が維持できず湿気を帯びると云う問題点がある。
本考案は、上記の問題点に鑑みてなされたものであり、その主たる目的とする所は、通気性を防止する構成材料よりなる箱物本体又は袋物本体等の容器の各側壁の１ヶ所に排気弁を装着し、１度開蓋して使用した容器の内部の空気を排出弁より排出して真空状態に再度ジッパーで密閉し、中身が外気に触れて酸化及び腐敗するのを防止して、長期間に亘って保存を可能とした湿気防止用容器を提供するものである。
【課題を解決するための手段】
【０００４】  本考案は上記目的を達成するために、箱物本体又は袋物本体等の容器は、合成樹脂又はアルミ箔等の気密性を有する構成材料によって構成される。該箱物本体と該袋物本体には、各種形成されている側壁の所定位置の１ヶ所に各種の排出弁を装設する。且つ該箱物本体と該袋物本体には、上部出入口に相対する縁取枠を設けると共に、上部に切断線とその下部に保存用ジッパーを並設した構成となっている。また、該袋物本体の上部の前後２組の縁取枠には、後方の縁取枠のみを融着部によって接着してある。
【考案の効果】
【０００５】  本考案の湿気防止用容器によれば、ビスケット、クッキー等の菓子類及びドッグフード等の飼料等の食品類において、１度切断線より開蓋すると再度のジッパー操作で閉蓋しても必ず内部に外気が侵入するが、排出弁により内部に侵入した外気を容易に外部へ排出すると共に、外気の侵入を確実に防止できる効果がある。
そして、箱物本体又は袋物本体は、合成樹脂又はアルミ箔等の気密性の構成材料で構成して強靭化すると共に、長期間の保存を確実にする効果がある。また、該箱物本体及び該袋物本体との側壁の所定位置に設けた排出弁は、保存用ジッパーを閉塞し、各側壁の各所を唯押圧すると云う簡単な操作だけで内部に侵入した外気を確実に外部に放出することができ、内部の空気による酸化及び腐敗するのを確実に防止できる効果がある。更に、袋物本体に設けた上部の折曲された前後２組の縁取枠の後方の縁取枠を融着して閉塞したので、内容物の出入口を小さく形成できると共に、充分に気密を保持できる効果と、袋物によるジッパーでの止着による閉鎖が確実にできる効果もある。
【考案を実施するための最良の形態】
【０００６】  本考案の湿気防止用容器においては、箱物本体又は袋物本体には、各々内部にビスケット、クッキー等の菓子類及びドッグフード等の飼料が収納された容器の上部の切断線によってカットし、その後ジッパーを開放して内部の各内容物を取り出し、内容物の残量の場合にジッパーで閉蓋し、側壁を手等で押圧することによって内部に侵入した外気を排出弁より外部に放出し、酸化、腐敗等を防止するものである。
【実施例１】
【０００７】  次に本考案の実施例を図面について説明すると、図１、図２に示す箱型形状の箱物本体（１）は、各種形状よりなり、その構成材料は、合成樹脂又はアルミ箔等の気密性を有するものを使用する。該箱物本体（１）は、数面の側壁（３）（３）より箱状に構成され、その少なくとも１側壁の所定位置に各種形状の排気専用の排出弁（５）を装設してある。また、該箱物本体（１）には、上部に挿入または取り出し口の役目を果す開放自由な縁取枠（６）を形成する。該縁取枠（６）には、上部に使用時に切断する切断線（７）を設けると共に、該切断線（７）の下部に開閉自在な保存用ジッパー（８）を装設してある。
次に、図３に示す、１実施例の該側壁（３）に装着する該排出弁（５）は、該側壁（３）に穿設した流出孔（１０）の前面に取着され、内部に閉塞膜（９）を収納すると共に、前面に排出専用の排出孔（１１）を装設してある。
【実施例２】
【０００８】  次に図４に示す実施例は、袋物容器となる袋物本体（２）は、合成樹脂又はアルミ箔等の気密性を有する構成材料より各種の袋状の形状に形成され、側壁（３）の１ヶ所に該箱物本体（１）と同様に排出弁（５）を装着してある。該袋物本体（２）には、左右両側面に前後２組の折曲縁を形成して縁取枠（６）（６）を形成する。更に、該縁取枠（６）（６）における後方の該縁取枠（６）を融着部（１２）によって接着したものである。この融着部（１２）によって出入口の開口部を減少すると共に気密性を保持できる。
更に、該袋物本体（２）には、該箱物本体（１）と同様に、上部に相対する縁取枠（６）（６）に切断線（７）と、その下部に保存用ジッパー（８）を並設した構成となっている。
【図面の簡単な説明】
【０００９】
【図１】  本考案の箱物本体の全体の斜面図である。
【図２】  同じく本考案の箱物本体の一部欠除した縦断側面図である。
【図３】  本考案の側壁に排出弁を設けた縦断側面図である。
【図４】  同じく本考案の袋物本体における上部の出入口を開放状態とした斜面図である。
【符号の説明】
【００１０】  １          箱物本体
２          袋物本体
３          側壁
５          排出弁
６          縁取枠
７          切断線
８          保存用ジッパー
９          開閉膜
１０        流出孔
１１        排出孔
１２        融着部
１３        収納部
【図１】
0003107011.tif 000003
【図２】
0003107011.tif 000004
【図３】
0003107011.tif 000005
【図４】
0003107011.tif 000006